(57)【要約】【課題】導光板の入光面付近において輝度ムラが生じるのを抑えること。【解決手段】実施形態に係る面状照明装置１は、導光板２１と、複数のＬＥＤ５と、スペーサと、を備える。スペーサは、例えば、白色レジスト層１３である。導光板２１は、側面を入光面とする。複数のＬＥＤ５は、上記入光面に対向する発光面５ａを有し、上記入光面に沿って設けられる。スペーサは、発光面５ａに対して導光板２１の主面側に形成される隙間の少なくとも一部を埋めるように配置される。【選択図】図３
2019212476.tif 000002
【特許請求の範囲】
【請求項１】
側面を入光面とする導光板と、
前記入光面に対向する発光部を有し、前記入光面に沿って設けられる複数の光源と、
前記発光部に対して前記導光板の主面側に形成される隙間の少なくとも一部を埋めるように配置されるスペーサと、
を備える、面状照明装置。
【請求項２】
前記導光板は、２つの主面を有し、
前記２つの主面のうち一方の主面は、前記発光部間に対応する部位において、結合部材により前記光源が実装された基板と固着され、
前記スペーサは、
前記発光部に対応する部位において、前記一方の主面と前記基板との間に形成される前記隙間の少なくとも一部を埋めるように配置される、
請求項１に記載の面状照明装置。
【請求項３】
前記スペーサは、
前記発光部に対応する部位において、前記２つの主面のうち他方の主面側に形成される前記隙間の少なくとも一部を埋めるように配置される、
請求項２に記載の面状照明装置。
【請求項４】
前記２つの主面は、前記入光面から入射された光を出射する主面である出射面と、該出射面とは反対側の主面である反対面であり、
前記一方の主面は、前記反対面である、
請求項２または３に記載の面状照明装置。
【請求項５】
前記２つの主面は、前記入光面から入射された光を出射する主面である出射面と、該出射面とは反対側の主面である反対面であり、
前記一方の主面は、前記出射面である、
請求項２または３に記載の面状照明装置。
【請求項６】
前記スペーサは、
少なくとも前記導光板の主面に沿って設けられる、
請求項２〜５のいずれか一つに記載の面状照明装置。
【請求項７】
前記スペーサは、
前記光源から前記導光板にまで延在するように設けられる、
請求項２〜６のいずれか一つに記載の面状照明装置。
【請求項８】
前記スペーサは、白色または該白色の近似色である、
請求項２〜７のいずれか一つに記載の面状照明装置。
【請求項９】
前記スペーサは、
前記基板に形成されるレジストである、
請求項２〜８のいずれか一つに記載の面状照明装置。
【請求項１０】
前記スペーサは、
前記基板に形成される導体である、
請求項２〜９のいずれか一つに記載の面状照明装置。
【請求項１１】
前記スペーサは、前記導光板に対向する側が非粘着性を有するように設けられる、
請求項１〜１０のいずれか一つに記載の面状照明装置。
【発明の詳細な説明】
【技術分野】
【０００１】
本発明は、面状照明装置に関する。
【背景技術】
【０００２】
従来、ＬＥＤ（Light  Emitting  Diode）等の光源を、入光面となる導光板の側面に対向させつつ、かかる側面に沿って複数個配置した面状照明装置が知られている。かかる面状照明装置は、例えば液晶表示装置のバックライト等に用いられる。
【先行技術文献】
【特許文献】
【０００３】
【特許文献１】特開２００５−２５９３７４号公報
【発明の概要】
【発明が解決しようとする課題】
【０００４】
しかしながら、上述した従来の技術には、導光板の入光面付近において輝度ムラが生じるのを抑えるうえで、更なる改善の余地がある。
【０００５】
具体的には、上述した従来の技術は、各光源が配置（実装）される基板と導光板の主面とを、各光源の前方を除いた領域にのみ間欠的に設けられた粘着層によって固着することにより、光の利用効率を向上させるものである。
【０００６】
ところが、近年、面状照明装置には、光の出射領域の額縁部分を狭小化させる狭額縁化の要請が強くあり、かかる要請に応えようとすると、上述した従来の技術の構造に起因して、新たな態様の輝度ムラが生じることが顕在化してきた。
【０００７】
すなわち、上述した従来の構造では、光源の前方において、基板と導光板の主面との間に隙間が形成される。かかる隙間が生じると、光源からの光は、入光面だけでなくこの隙間を介して導光板の主面側からも入光し、各光源の前方に明部を形成して各光源の前方と各光源の間とに明暗差を生じさせてしまう。かかる明暗差が生じる領域は、遮光部材等で覆うことで隠すことが可能であるが、狭額縁化を進めると遮光部材等で覆うことが出来なくなる。
【０００８】
本発明は、上記に鑑みてなされたものであって、導光板の入光面付近において輝度ムラが生じるのを抑えることができる面状照明装置を提供することを目的とする。
【課題を解決するための手段】
【０００９】
上述した課題を解決し、目的を達成するために、本発明の一態様に係る面状照明装置は、導光板と、複数の光源と、スペーサと、を備える。前記導光板は、側面を入光面とする。前記複数の光源は、前記入光面に対向する発光部を有し、前記入光面に沿って設けられる。前記スペーサは、前記発光部に対して前記導光板の主面側に形成される隙間の少なくとも一部を埋めるように配置される。
【発明の効果】
【００１０】
本発明の一態様によれば、導光板の入光面付近において輝度ムラが生じるのを抑えることができる。
【図面の簡単な説明】
【００１１】
【図１】図１は、実施形態に係る面状照明装置の平面模式図である。
【図２】図２は、比較例に係る面状照明装置の構成例を示す略断面図である。
【図３】図３は、実施形態に係る面状照明装置の構成例を示す略断面図である。
【図４】図４は、実施形態に係るスペーサの構成例を示す平面模式図である。
【図５】図５は、実施形態に係るスペーサの第１変形例を示す略断面図である。
【図６】図６は、実施形態に係るスペーサの第１変形例を示す平面模式図である。
【図７】図７は、実施形態に係るスペーサの第２変形例を示す略断面図である。
【図８】図８は、実施形態に係るスペーサの第２変形例を示す平面模式図である。
【図９】図９は、実施形態に係るスペーサの第３変形例を示す略断面図である。
【図１０】図１０は、実施形態に係るスペーサの第３変形例を示す平面模式図である。
【図１１】図１１は、実施形態に係るスペーサの第４変形例（その１）を示す略断面図である。
【図１２】図１２は、実施形態に係るスペーサの第４変形例（その１）を示す平面模式図である。
【図１３】図１３は、実施形態に係るスペーサの第４変形例（その２）を示す略断面図である。
【図１４】図１４は、実施形態に係るスペーサの第４変形例（その２）を示す平面模式図である。
【図１５】図１５は、実施形態に係るスペーサの第５変形例を示す略断面図である。
【図１６】図１６は、実施形態に係るスペーサの第５変形例を示す平面模式図である。
【図１７】図１７は、実施形態に係るスペーサの第５変形例の説明図である。
【図１８】図１８は、実施形態に係るスペーサの副次的な効果の説明図（その１）である。
【図１９】図１９は、実施形態に係るスペーサの副次的な効果の説明図（その２）である。
【発明を実施するための形態】
【００１２】
以下、実施形態に係る面状照明装置について図面を参照して説明する。なお、図面における各要素の寸法の関係、各要素の比率などは、現実と異なる場合がある。図面の相互間においても、互いの寸法の関係や比率が異なる部分が含まれている場合がある。
【００１３】
また、説明を分かりやすくするために、各図面には、３次元の直交座標系を図示する場合がある。かかる直交座標系では、後述する導光板の主面方向をＸＹ平面方向とし、導光板の厚み方向をＺ軸方向としている。なお、「主面」とは、導光板の厚み方向に沿った面である側面を除く、導光板の表裏の主たる面のことを指し、主面方向は、その主面の平面方向を指す。
【００１４】
まず、図１を用いて実施形態に係る面状照明装置１の構成の概要について説明する。図１は、実施形態に係る面状照明装置１の平面模式図である。
【００１５】
図１に示すように、面状照明装置１は、出射領域２と、遮光部材３，４と、複数のＬＥＤ５とを有する。出射領域２は、複数のＬＥＤ５から発せられ、導光および拡散された光が出射される面状の領域であり、遮光部材３，４によって規定される。出射領域２の内部には、後述する導光板２１（図２以降参照）、拡散シート（図示略）等が積層されている。
【００１６】
遮光部材３，４は、例えばシート状の部材であり、面状照明装置１の長手方向の両端部を覆って出射領域２を規定する。なお、遮光部材３は、後述するＦＰＣ（Flexible  Printed  Circuit）１０（図２以降参照）やＬＥＤ５等を含む領域を覆うため、遮光部材４よりも幅寸法が大きい。遮光部材３の幅寸法は、例えば２．５ｍｍ以下である。
【００１７】
複数のＬＥＤ５はそれぞれ、入光面となる導光板２１の側面に対向する発光面５ａを有し、入光面に沿って設けられる。なお、図１では、１つのＬＥＤ５が２つの発光面５ａを有する場合を例示しているが、１つのＬＥＤ５に対する発光面５ａの数を限定するものではない。
【００１８】
また、複数のＬＥＤ５は、ＦＰＣ１０に配置されており、かかるＦＰＣ１０は、導光板２１の出射領域２とは反対側の主面と固着される。かかる固着、言い換えれば導光板２１と他の部材との「結合」には例えば、結合部材として両面テープ２２が用いられる。
【００１９】
図１に示すように、両面テープ２２は、ＬＥＤ５の配列方向に沿いつつ、発光面５ａの前方を避けた領域、すなわち発光面５ａの間の領域に配置される。かかる配置により、発光面５ａから導光板２１へ入光される光が粘着材によって光学特性上、不安定化するのを防止することができる。なお、ここでは、両面テープ２２を結合部材の一例とし、両面テープ２２の粘着性を利用して導光板２１と他の部材（ここでは、ＦＰＣ１０）とを結合する場合を例に挙げているが、結合部材を限定するものではない。例えば結合部材は、熱溶着や超音波溶着等により、導光板２１と他の部材とを結合するものであってもよい。
【００２０】
このような面状照明装置１は、例えば液晶表示装置のバックライトとして用いられる。液晶表示装置は、例えばスマートフォンに用いられる。
【００２１】
なお、以下では、図１に示すＡ−Ａ線の略断面図を、「発光面間」の構成例を示す図として用いる場合がある。同様に、図１に示すＢ−Ｂ線の略断面図を、「発光面前」の構成例を示す図として用いる場合がある。
【００２２】
ところで、このような面状照明装置１では、導光板２１の入光面付近において輝度ムラが生じる場合がある。この点について図２を用いて説明する。図２は、比較例に係る面状照明装置１’の構成例を示す略断面図である。
【００２３】
図２に示すように、ＬＥＤ５は、ＦＰＣ１０に配置される。ＦＰＣ１０は、ＬＥＤ５が実装される柔軟性を有する基板であって、絶縁性を有する薄く柔らかいベースフィルム（ポリイミド等）に銅箔等の導電性金属が貼り合わせられた基材に電気回路が形成される。なお、ＦＰＣ１０は、基板の一例であって、硬質性（リジッド）の基板であってもよい。
【００２４】
ＬＥＤ５は、かかるＦＰＣ１０の電気回路に接続された電極部であるランド部１１に、例えばはんだ付け等によって接合される。また、ＦＰＣ１０の表面には、例えば導光板２１の入光面２１ａの延在方向（図中のＹ軸方向）に沿って黒色レジスト層１２が形成される。
【００２５】
導光板２１は、２つの主面を有する。導光板２１の側面である入光面２１ａから入射された光は、２つの主面のうちの一方の主面である出射面２１ｂから出射される。図２の説明で後述する、問題となる隙間であり、以下で説明するスペーサが配置される隙間は、２つの主面のうちの他方の主面、すなわち出射面２１ｂとは反対側の主面である反対面２１ｃ側に形成される隙間である。
【００２６】
そして、比較例に係る面状照明装置１’は、「発光面間」においては、上述のように両面テープ２２が配置され、かかる両面テープ２２によって導光板２１の反対面２１ｃとＦＰＣ１０とが固着される。一方で、「発光面前」においては、導光板２１の反対面２１ｃとＦＰＣ１０とは、両面テープ２２によって固着されない。
【００２７】
このため、導光板２１の反対面２１ｃとＦＰＣ１０との間には隙間が形成される場合がある。したがって、かかる隙間が開くと、図中に矢印で示すように、発光面５ａから発せられた光の一部は、入光面２１ａからではなく、黒色レジスト層１２で反射して導光板２１の反対面２１ｃ側（図中のＭ１部参照）から入光し、「発光面前」において「発光面間」より明るい明部を形成してしまう。これにより、導光板２１の入光面２１ａ付近において輝度ムラが生じることとなる。
【００２８】
そこで、実施形態に係る面状照明装置１は、発光面５ａに対して導光板２１の主面側に形成される隙間の少なくとも一部を埋めるように配置されるスペーサを設け、かかるスペーサによって、導光板２１の主面側からの入光を妨げることとした。なお、図２には表していないが、無論、出射面２１ｂ側に問題となる隙間が形成される場合もある。出射面２１ｂ側の隙間に関する対策については、図１１〜図１４を用いた説明で後述する。
【００２９】
図３は、実施形態に係る面状照明装置１の構成例を示す略断面図である。また、図４は、実施形態に係るスペーサの構成例を示す平面模式図である。
【００３０】
具体的には、図３および図４に示すように、実施形態に係る面状照明装置１は、比較例に係る面状照明装置１’に加えて、さらに上述のスペーサとなる白色レジスト層１３を有する。
【００３１】
白色レジスト層１３は、黒色レジスト層１２に対し例えば重ね塗りすることによって設けられ、両面テープ２２によって固着されている「発光面間」においては、ＬＥＤ５の直下にのみ形成される。
【００３２】
また、白色レジスト層１３は、両面テープ２２によって固着されていない「発光面前」においては、ＬＥＤ５の直下から導光板２１の直下にまで延在するように形成される。すなわち、白色レジスト層１３は、発光面５ａに対して導光板２１の主面側に形成される隙間の少なくとも一部を埋めるように配置される。
【００３３】
このように、スペーサとしての白色レジスト層１３を設けることによって、上述した導光板２１の主面側からの入光を妨げることができる。すなわち、「発光面前」において「発光面間」より明るい明部が形成されるのを抑えることができるので、実施形態に係る面状照明装置１によれば、導光板２１の入光面２１ａ付近において輝度ムラが生じるのを抑えることができる。
【００３４】
また、白色レジスト層１３のように、実施形態に係るスペーサを可能な限り白色とすることで、光の損失を抑える効果も見込むことができる。
【００３５】
なお、図３および図４では、スペーサとしての白色レジスト層１３を、ＦＰＣ１０の表面に形成された黒色レジスト層１２に対し、重ね塗りして設ける場合について説明したが、白色レジスト層１３に対し、スペーサとしての黒色レジスト層１２を重ね塗りしてもよい。かかる場合を、スペーサの第１変形例として、図５および図６を用いて説明する。
【００３６】
（スペーサの第１変形例）
図５は、実施形態に係るスペーサの第１変形例を示す略断面図である。また、図６は、実施形態に係るスペーサの第１変形例を示す平面模式図である。なお、図５および図６は、それぞれ図３および図４に対応しているため、ここでは図３および図４と異なる点について主に説明する。
【００３７】
図５および図６に示すように、第１変形例では、ＦＰＣ１０の表面には、例えば導光板２１の入光面２１ａの延在方向（図中のＹ軸方向）に沿って白色レジスト層１３が形成される。そして、スペーサとして、黒色レジスト層１２が、かかる白色レジスト層１３に対し例えば重ね塗りすることによって設けられる。
【００３８】
かかる場合、黒色レジスト層１２は、「発光面前」において、導光板２１の直下にのみ形成されるように設けられることが好ましい。すなわち、黒色レジスト層１２は、発光面５ａに対して導光板２１の主面側に形成される隙間の少なくとも一部を埋めるようにのみ配置されることが好ましい。
【００３９】
これにより、黒色レジスト層１２による光の損失を抑えつつ、上述した導光板２１の主面側からの入光を妨げることができる。すなわち、導光板２１の入光面２１ａ付近において輝度ムラが生じるのを抑えることができる。
【００４０】
なお、図５および図６では、白色レジスト層１３に対し、スペーサとしての黒色レジスト層１２が重ね塗りされることとしたが、表面を白色にしたＦＰＣ１０に対し、黒色レジスト層１２を設けることとしてもよい。かかる場合を、スペーサの第２変形例として、図７および図８を用いて説明する。
【００４１】
（スペーサの第２変形例）
図７は、実施形態に係るスペーサの第２変形例を示す略断面図である。また、図８は、実施形態に係るスペーサの第２変形例を示す平面模式図である。なお、図７および図８は、それぞれ図５および図６に対応しているため、ここでは図５および図６と異なる点について主に説明する。
【００４２】
図７および図８に示すように、第２変形例では、ＦＰＣ１０の表面には、例えば全域にわたって、白色層１４が形成される。白色層１４は例えば、乾いた状態では白色で粘着性のなくなる接着剤等を塗布することによって設けられる。なお、ランド部１１は、ビアホール等により、ＦＰＣ１０の電気回路と導通可能であるものとする。
【００４３】
そして、スペーサとして、黒色レジスト層１２が、かかる白色層１４に対し例えば重ね塗りすることによって設けられる。かかる場合、黒色レジスト層１２は、第１変形例と同様に、「発光面前」において、導光板２１の直下にのみ形成されるように設けられることが好ましい。
【００４４】
これにより、黒色レジスト層１２による光の損失を抑えつつ、上述した導光板２１の主面側からの入光を妨げることができる。すなわち、導光板２１の入光面２１ａ付近において輝度ムラが生じるのを抑えることができる。
【００４５】
ところで、これまでは、白色または黒色のレジスト層をスペーサとすることとしたが、ランド部１１のような導体によって形成されるダミーパターンをスペーサとしてもよい。かかる場合を、スペーサの第３変形例として、図９および図１０を用いて説明する。
【００４６】
（スペーサの第３変形例）
図９は、実施形態に係るスペーサの第３変形例を示す略断面図である。また、図１０は、実施形態に係るスペーサの第３変形例を示す平面模式図である。
【００４７】
すなわち、図９および図１０に示すように、ＦＰＣ１０の表面にはレジスト層を設けることなく、「発光面間」においては、両面テープ２２によって導光板２１の反対面２１ｃとＦＰＣ１０とを固着し、「発光面前」においては、スペーサとして、ダミーパターン１５が配置されることとしてもよい。
【００４８】
このとき、ダミーパターン１５は、ＬＥＤ５の直下から導光板２１の直下にまで延在するように配置されることが好ましい。すなわち、ダミーパターン１５は、発光面５ａに対して導光板２１の主面側に形成される隙間の少なくとも一部を埋めるように配置されることが好ましい。
【００４９】
このように、スペーサとしてのダミーパターン１５を設けることによっても、上述した導光板２１の主面側からの入光を妨げることができる。すなわち、「発光面前」において「発光面間」より明るい明部が形成されるのを抑えることができるので、導光板２１の入光面２１ａ付近において輝度ムラが生じるのを抑えることができる。なお、図９または図１０には表していないが、ダミーパターン１５の表面にレジスト層を積層してもよい。
【００５０】
ところで、これまでは、ＦＰＣ１０側、言い換えれば導光板２１の主面のうちの一方である反対面２１ｃ側にスペーサを設ける場合について説明してきたが、導光板２１の主面のうちの他方である出射面２１ｂ側にスペーサを設けることとしてもよい。かかる場合を、スペーサの第４変形例として、図１１〜図１４を用いて説明する。
【００５１】
（スペーサの第４変形例）
図１１は、実施形態に係るスペーサの第４変形例（その１）を示す略断面図である。また、図１２は、実施形態に係るスペーサの第４変形例（その１）を示す平面模式図である。また、図１３は、実施形態に係るスペーサの第４変形例（その２）を示す略断面図である。また、図１４は、実施形態に係るスペーサの第４変形例（その２）を示す平面模式図である。
【００５２】
なお、図１１および図１２は、それぞれ図３および図４に対応しているため、図１１および図１２を用いた説明では、図３および図４と異なる点について主に説明する。また、図１３および図１４は、それぞれ図１１および図１２に対応しているため、図１３および図１４を用いた説明では、図１１および図１２と異なる点について主に説明する。
【００５３】
図１１および図１２に示すように、第４変形例では、導光板２１の出射面２１ｂ側には、例えば導光板２１の入光面２１ａの延在方向（図中のＹ軸方向）に沿って入光面２１ａ付近を覆う遮蔽部材（固定部材）６が設けられる。
【００５４】
遮蔽部材６の基材は、例えば白色のＰＥＴ（Polyethylene  Terephthalate）であって、「発光面間」においては、例えばＬＥＤ５の直上から導光板２１の直上にかけて両面テープ２２により固着される。
【００５５】
一方で、「発光面前」においては、遮蔽部材６は、例えばＬＥＤ５の直上についてのみ両面テープ２２により固着される。そして、かかる「発光面前」における導光板２１の直上については、スペーサとして、白色または黒色の片面テープ２３が配置される。なお、片面テープ２３は、遮蔽部材６と固着する向きで設けられる。すなわち、片面テープ２３の導光板２１側は、非粘着に「糊殺し」された部位となる。
【００５６】
このように、片面テープ２３は、発光面５ａに対して導光板２１の出射面２１ｂ側に形成される隙間の少なくとも一部を埋めるように配置される。これにより、導光板２１の出射面２１ｂ側からの入光を妨げることができる。すなわち、導光板２１の入光面２１ａ付近において輝度ムラが生じるのを抑えることができる。
【００５７】
また、片面テープ２３は、上述のように、導光板２１の出射面２１ｂに対して「糊殺し」されたスペーサとなるので、発光面５ａから導光板２１へ入光される光が粘着材によって光学特性上、不安定化するのを防止することができる。
【００５８】
なお、図１３および図１４に示すように、遮蔽部材６は、「発光面間」においては、面状照明装置１のフレーム７の直上および導光板２１の直上と、両面テープ２２により固着されてもよい。この場合、「発光面前」においては、遮蔽部材６は、フレーム７の直上と両面テープ２２により固着され、導光板２１の直上については、スペーサとして、片面テープ２３が配置されることとなる。
【００５９】
なお、図１１〜図１４では、スペーサが片面テープ２３であることとしたが、ＰＥＴ等であってもよい。
【００６０】
また、図１１〜図１４では、「発光面前」において、導光板２１の出射面２１ｂ側に「糊殺し」の片面テープ２３をスペーサとして設ける場合について説明したが、無論、導光板２１の反対面２１ｃ側に設けることとしてもよい。かかる場合を、スペーサの第５変形例として、図１５〜図１７を用いて説明する。
【００６１】
なお、「発光面前」に「糊殺し」の部位を設けると、かかる部位の厚みによって、「発光面間」におけるＦＰＣ１０と導光板２１の固着が安定しないことが懸念される。第５変形例では、この点の対応についても言及する。
【００６２】
（スペーサの第５変形例）
図１５は、実施形態に係るスペーサの第５変形例を示す略断面図である。また、図１６は、実施形態に係るスペーサの第５変形例を示す平面模式図である。また、図１７は、実施形態に係るスペーサの第５変形例の説明図である。なお、図１７の下側の図は、図１６に示すＣ−Ｃ線の略断面図となっている。
【００６３】
図１５に示すように、第５変形例では、「発光面間」においては、例えばＦＰＣ１０の表面に黒色レジスト層１２が形成され、かかる黒色レジスト層１２に対し両面テープ２２により導光板２１の反対面２１ｃが固着される。黒色レジスト層１２は、後述する「糊殺し」の片面テープ２３の厚みを有する段差として形成される。なお、ここでの黒色レジスト層１２は、上述した白色レジスト層１３や、ダミーパターン１５等であってもよい。
【００６４】
一方、「発光面前」においては、「糊殺し」のスペーサとして、例えば片面テープ２３が、導光板２１の反対面２１ｃ側へ非粘着面を向けて設けられる。片面テープ２３の粘着面側は、ＦＰＣ１０に対し、両面テープ２２により固着される。
【００６５】
ここで、図１６および図１７の上側の図に示すように、片面テープ２３の各小片は、導光板２１の入光面２１ａの延在方向（図中のＹ軸方向）に沿った帯状の両面テープ２２に間欠的に固着されている。また、上述のように、片面テープ２３の厚みを有した黒色レジスト層１２の各小片は、ＦＰＣ１０の表面に、片面テープ２３の各小片と互い違いの配置となるように形成されている。
【００６６】
そして、図１７の下側の図に示すように、導光板２１の反対面２１ｃが、帯状の両面テープ２２によりＦＰＣ１０と固着される。このとき、上述のように、黒色レジスト層１２と片面テープ２３とは同じ厚みを有し、かつ、互い違いの配置となるように設けられているので、嵌合し合うように固着されることとなる。
【００６７】
また、両面テープ２２は、その弾性により、黒色レジスト層１２と片面テープ２３の間隙を縫うように変形して密着し、高強度にＦＰＣ１０と導光板２１とを固着させる。また、片面テープ２３は、「発光面前」において、導光板２１の反対面２１ｃ側に対し「糊殺し」されたスペーサとなっているので、発光面５ａから導光板２１へ入光された光の、粘着材による光学特性上の不安定化も招きにくい。
【００６８】
したがって、このような第５変形例によれば、ＦＰＣ１０と導光板２１とを安定的に固着させつつ、導光板２１の入光面２１ａ付近において輝度ムラが生じるのを抑えることができる。
【００６９】
（スペーサの副次的な効果）
ところで、ＬＥＤ５が、ＦＰＣ１０に対し傾いて実装された場合、導光板２１の入光面２１ａ側が一様に暗くなる態様の輝度ムラが生じることが知られているが、これまで説明した実施形態に係るスペーサを設けることによって、ＬＥＤ５が傾いて実装されるのを防ぐことができる。
【００７０】
図１８は、実施形態に係るスペーサの副次的な効果の説明図（その１）である。また、図１９は、実施形態に係るスペーサの副次的な効果の説明図（その２）である。
【００７１】
図１８に示すように、「発光面前」において、スペーサとして、白色レジスト層１３が、発光面５ａに対して導光板２１の反対面２１ｃ側に形成される隙間の少なくとも一部を埋めるように配置されたものとする。かかる場合、例えば実装時の不備等によって、ＬＥＤ５が入光面２１ａ側へ前傾してしまうのを、白色レジスト層１３がＬＥＤ５を支持することによって防ぐことができる。
【００７２】
これは、図１９に示すように、「発光面前」において、スペーサとして、ダミーパターン１５が、発光面５ａに対して導光板２１の反対面２１ｃ側に形成される隙間の少なくとも一部を埋めるように配置された場合も同様となる。すなわち、ダミーパターン１５が、ＬＥＤ５を支持することによって、例えばＬＥＤ５が入光面２１ａ側へ前傾してしまうのを防ぐことができる。
【００７３】
なお、図１８および図１９に示すように、ＬＥＤ５が傾いて実装されるのを防止するうえでは、スペーサは、少なくともＬＥＤ５の発光面５ａ下部まで延在するように設けられることが好ましい。また、ＬＥＤ５の傾き防止という観点からは、スペーサは、導光板２１の反対面２１ｃ側には設けられず、ＬＥＤ５の発光面５ａ下部のみに設けられていてもよい。
【００７４】
このように、実施形態に係る面状照明装置１によれば、ＬＥＤ５が傾いて実装されるのを防止しつつ、導光板２１の入光面２１ａ付近において輝度ムラが生じるのを抑えることができる。
【００７５】
上述してきたように、実施形態に係る面状照明装置１は、導光板２１と、複数のＬＥＤ５（「光源」の一例に相当）と、スペーサと、を備える。スペーサは、例えば、黒色レジスト層１２、白色レジスト層１３、ダミーパターン１５、または、片面テープ２３である。
【００７６】
導光板２１は、側面を入光面２１ａとする。複数のＬＥＤ５は、上記入光面２１ａに対向する発光面５ａ（「発光部」の一例に相当）を有し、上記入光面２１ａに沿って設けられる。スペーサは、発光面５ａに対して導光板２１の主面側に形成される隙間の少なくとも一部を埋めるように配置される。
【００７７】
したがって、実施形態に係る面状照明装置１によれば、導光板２１の入光面２１ａ付近において輝度ムラが生じるのを抑えることができる。
【００７８】
また、導光板２１は、２つの主面を有し、２つの主面のうち一方の主面は、発光面５ａ間に対応する部位において、両面テープ２２（「結合部材」の一例に相当）によりＬＥＤ５が実装されたＦＰＣ１０と固着される。また、スペーサは、発光面５ａに対応する部位において、上記一方の主面とＦＰＣ１０との間に形成される上記隙間の少なくとも一部を埋めるように配置される。ここで、上記の実施形態において、上記２つの主面は、入光面２１ａから入射された光を出射する主面である出射面２１ｂと、かかる出射面２１ｂとは反対側の主面である反対面２１ｃであり、上記一方の主面は、反対面２１ｃである。したがって、実施形態に係る面状照明装置１によれば、「発光面前」において、少なくとも導光板２１のＦＰＣ１０と固着された主面側である反対面２１ｃ側からの入光を妨げることができる。すなわち、「発光面前」において「発光面間」より明るい明部が形成されるのを抑え、導光板２１の入光面２１ａ付近において輝度ムラが生じるのを抑えることができる。
【００７９】
また、スペーサは、発光面５ａに対応する部位において、上記２つの主面のうち他方の主面側である出射面２１ｂ側に形成される上記隙間の少なくとも一部を埋めるように配置される。したがって、実施形態に係る面状照明装置１によれば、「発光面前」において、少なくとも導光板２１のＦＰＣ１０と固着されていない主面側である出射面２１ｂ側からの入光を妨げることができる。すなわち、「発光面前」において「発光面間」より明るい明部が形成されるのを抑え、導光板２１の入光面２１ａ付近において輝度ムラが生じるのを抑えることができる。
【００８０】
また、スペーサは、少なくとも導光板２１の主面に沿って設けられる。したがって、実施形態に係る面状照明装置１によれば、少なくとも導光板２１の主面側からの入光を妨げることができるので、「発光面前」において「発光面間」より明るい明部が形成されるのを抑え、導光板２１の入光面２１ａ付近において輝度ムラが生じるのを抑えることができる。
【００８１】
また、スペーサは、ＬＥＤ５から導光板２１にまで延在するように設けられる。したがって、実施形態に係る面状照明装置１によれば、ＬＥＤ５から導光板２１に至るまでの光の損失を抑えつつ、導光板２１の主面側からの入光を妨げて、導光板２１の入光面２１ａ付近において輝度ムラが生じるのを抑えることができる。
【００８２】
また、スペーサは、例えば白色または白色の近似色である。白色の近似色は、例えば乳白色や、グレー、銀色等を含む。したがって、実施形態に係る面状照明装置１によれば、光の損失を抑える効果を見込むことができる。
【００８３】
また、スペーサは、ＬＥＤ５が実装されたＦＰＣ１０（「基板の一例に相当」）に形成されるレジストである。したがって、実施形態に係る面状照明装置１によれば、スペーサとする新たな素材を用意することなく、既存のＦＰＣ１０にレジストを形成することによって、容易にスペーサとして利用することができる。
【００８４】
また、スペーサは、ＬＥＤ５が実装されたＦＰＣ１０に形成されるダミーパターン１５（「導体」の一例に相当）である。したがって、実施形態に係る面状照明装置１によれば、スペーサとする新たな素材を用意することなく、既存のＦＰＣ１０にダミーパターンを形成することによって、容易にスペーサとして利用することができる。
【００８５】
また、スペーサは、導光板２１に対向する側が非粘着性を有するように設けられる。すなわち、片面テープ２３等を用いた「糊殺し」により、発光面５ａから導光板２１へ入光される光が粘着材によって光学特性上、不安定化するのを防止することができる。
【００８６】
なお、上述した実施形態では、ＬＥＤ５の発光部が、面状の発光面５ａであることとしたが、点状光源であってもよい。
【００８７】
また、上述した実施形態では、光源がＬＥＤ５である場合を例に挙げたが、ＬＥＤに限られるものではなく、他の光源であってもよい。
【００８８】
また、上述した実施形態では、ＦＰＣ１０が導光板２１の反対面２１ｃ側に配置される場合を例に挙げたが、ＦＰＣ１０は、導光板２１の出射面２１ｂ側に配置されてもよい。すなわち、上記一方の主面が出射面２１ｂであり、上記他方の主面が反対面２１ｃであってもよい。かかる場合、スペーサは、発光面５ａに対応する部位において、出射面２１ｂとＦＰＣ１０との間に形成される隙間の少なくとも一部を埋めるように配置される。また、かかる場合に、導光板２１の反対面２１ｃ側に遮蔽部材（固定部材）６を配置してもよい。この場合、スペーサは、発光面５ａに対応する部位において、反対面２１ｃと遮蔽部材（固定部材）６との間に形成される隙間の少なくとも一部を埋めるように配置されてもよい。
【００８９】
また、上記実施の形態により本発明が限定されるものではない。上述した各構成素を適宜組み合わせて構成したものも本発明に含まれる。また、さらなる効果や変形例は、当業者によって容易に導き出すことができる。よって、本発明のより広範な態様は、上記の実施の形態に限定されるものではなく、様々な変更が可能である。
【符号の説明】
【００９０】
１  面状照明装置、２  出射領域、３，４  遮光部材、５  ＬＥＤ（光源）、５ａ  発光面（発光部）、１０  ＦＰＣ、１１  ランド部、１２  黒色レジスト層（スペーサ）、１３  白色レジスト層（スペーサ）、１４  白色層、１５  ダミーパターン（スペーサ）、２１  導光板、２１ａ  入光面、２１ｂ  出射面、２１ｃ  反対面、２２  両面テープ（結合部材）、２３  片面テープ（スペーサ）
【図１】
2019212476.tif 000003
【図２】
2019212476.tif 000004
【図３】
2019212476.tif 000005
【図４】
2019212476.tif 000006
【図５】
2019212476.tif 000007
【図６】
2019212476.tif 000008
【図７】
2019212476.tif 000009
【図８】
2019212476.tif 000010
【図９】
2019212476.tif 000011
【図１０】
2019212476.tif 000012
【図１１】
2019212476.tif 000013
【図１２】
2019212476.tif 000014
【図１３】
2019212476.tif 000015
【図１４】
2019212476.tif 000016
【図１５】
2019212476.tif 000017
【図１６】
2019212476.tif 000018
【図１７】
2019212476.tif 000019
【図１８】
2019212476.tif 000020
【図１９】
2019212476.tif 000021